(57)【特許請求の範囲】
【請求項１】
紙幣を収納するカセットと、
このカセット上に位置し、紙幣を一時的に保留する一時保留部を備え、
前記カセットは紙幣を集積させる上下動可能なステージを有し、
前記一時保留部は紙幣を集積させる上下動可能な一時保留板と、前記ステージ及び前記一時保留板上に紙幣を集積させたり、前記一時保留板上の紙幣を繰り出したりするための繰り出し集積手段を有する紙幣処理装置において、
前記一時保留板は凹状の切り欠き部を有するプレートと、このプレートを支持する支持部材と、前記切り欠き部の閉塞及び開放を行うように前記プレートに前後動可能に設けられたスライド部材を備え、
前記ステージ上に紙幣を集積させる際は前記一時保留板を前記繰り出し集積手段に達する位置に上昇させると共に、前記一時保留板のスライド部材を後退させて前記切り欠き部を開放することにより、切り欠き部で前記繰り出し集積手段を避け、
前記ステージ上に紙幣を集積した後、前記一時保留板を下降させて前記ステージ上の紙幣を押さえつけることを特徴とする紙幣処理装置。
【請求項２】
請求項１において、
一時保留板を成す支持部材の両側にリンクの一端を回転可能に取り付け、各リンクの他端に設けた長穴をプレートの両側に設けたポストに摺動可能に嵌合させると共に、前記プレートの後端を支持部材に離脱可能に係合させ、
一括カセットのステージ上に紙幣を集積した後、前記一時保留板を下降させたとき、前記ステージ上の紙幣に前記プレートが突き当たると、前記プレートの後端が前記支持部材から外れ、リンクの作用により前記支持部材と前記プレートが別々に下降するようにしたことを特徴とする紙幣処理装置。
【発明の詳細な説明】
【０００１】
【発明の属する技術分野】
本発明は、銀行等の金融機関で用いられる自動取引装置において、紙幣の入出金処理を行う紙幣処理装置に関するもので、特に紙幣を収納するカセットと紙幣の一時保留部とを備えた紙幣処理装置に関するものである。
【０００２】
【従来の技術】
銀行等の金融機関で用いられる自動取引装置には紙幣処理装置が組み込まれ、取引に伴う紙幣の入出金処理を行っている。
従来の紙幣処理装置として、金種別に紙幣を収納する金種別カセットに対して紙幣の補充回収を行うために複数の金種の紙幣を一括して収納できる一括カセットを用いると共に、この一括カセット上に位置する一時保留部を備えたものがある。
【０００３】
この一時保留は、休日や夜間運用時の出金取引において、出金対象外金種あるいは搬送異常等のリジェクト券と鑑別された紙幣を一時的に集積して保留するたもの上下動可能な一時保留板と、この一時保留板及び一括カセット内に設けられた上下動可能なステージに対して紙幣を集積したり、集積されている紙幣を繰り出したりするための繰り出し集積手段、及び紙幣回収時に一括カセットのステージ上に集積された紙幣を上方から押さえつけて皺や折れ癖を矯正する上下動可能な押圧部材を備えている。
【０００４】
【発明が解決しようとする課題】
しかしながら、上述した従来の技術では、一括カセット上に位置する一時保留部に上下動可能な一時保留板と紙幣を矯正するための押圧部材を別々に設けているため、装置が大型化、複雑化、重量化するという問題があり、近年コンビニエンスストア等の小売店への設置というニーズに対応することが困難になる。
【０００５】
従って、本発明は、一時保留板に紙幣を矯正するための押圧部材を兼用させて小型化、簡素化、軽量化を図ることが可能な紙幣処理装置を実現することを課題どしている。
【０００６】
【課題を解決するための手段】
そのため、本発明は、紙幣を収納するカセットと、このカセット上に位置し、紙幣を一時的に保留する一時保留部を備え、前記カセットは紙幣を集積させる上下動可能なステージを有し、前記一時保留部は紙幣を集積させる上下動可能な一時保留板と、前記ステージ及び前記一時保留板上に紙幣を集積させたり、前記一時保留板上の紙幣を繰り出したりするための繰り出し集積手段を有する紙幣処理装置において、前記一時保留板は凹状の切り欠き部を有するプレートと、このプレートを支持する支持部材と、前記切り欠き部の閉塞及び開放を行うように前記プレートに前後動可能に設けられたスライド部材を備え、前記ステージ上に紙幣を集積させる際は前記一時保留板を前記繰り出し集積手段に達する位置に上昇させると共に、前記一時保留板のスライド部材を後退させて前記切り欠き部を開放することにより、切り欠き部で前記繰り出し集積手段を避け、前記ステージ上に紙幣を集積した後、前記一時保留板を下降させて前記ステージ上の紙幣を押さえつけることを特徴とする。
【０００７】
【発明の実施の形態】
以下に図面を参照して本発明による紙幣処理装置の実施の形態について説明する。
図１は第１の実施の形態を示す概略側面図である。
図において１は装置の筐体、２はこの筐体１の前面側上部に設けられた接客部であり、この接客部２は入金取引時の紙幣の投入や、紙幣の返却、及び出金取引時の紙幣の支払いを行うための紙幣授受機能や、投入された紙幣を１枚づつ分離して繰り出す分離繰り出し機能を有している。
【０００８】
３は接客部１上に設けられたシャッター、４は入出金取引時や紙幣の補充，回収時に紙幣の真偽，金種，正損，表裏等の鑑別と２重送りや連鎖あるいは斜行等の異常搬送の有無の検知及び前記鑑別により金種が確認された紙幣の計数を行う鑑別部である。
５は接客部２と鑑別部４とを結ぶ後述する搬送路の途中の設けられた表裏取り揃え機構で、この表裏取り揃え機構５は出金取引時において鑑別部４で裏面と鑑別された紙幣を表裏反転するものである。
【０００９】
６と７と８は取引に用いる紙幣Ｐを金種別に収納する金種別カセットで、筐体１内の底部側に並べて配置されている。
この金種別カセット６〜８のうち、金種別カセット７を千円紙幣用、金種別カセット６と８を万円紙幣用として利用するが、金種別カセット７は夜間運用時のリジェクト紙幣用カセットとして兼用するものとしている。
【００１０】
９と１０と１１は金種別カセット６〜８内に配置されたステージで、図示しない機構により上下動するようになっており、金種別カセット６〜８内に収納される紙幣はこれらのステージ９〜１１上に集積されるものとなっている。
１２と１３と１４はそれぞれ各収納庫６〜８の上部に設けられた一時保留部、１５と１６と１７は金種別カセット６〜８と一時保留部１２〜１４を仕切る一時保留板で、この一時保留板１５〜１７は各々独立して図示しない機構により水平方向に移動できるようになっている。
【００１１】
１８と１９と２０は金種別カセット６〜８の上方にそれぞれ配置されたローラー機構で、各々のローラー機構１８〜２０は一時保留板１５〜１７上にそれぞれ紙幣Ｐを一時集積させる集積手段と、一時保留板１５〜１７またはステージ９上から紙幣Ｐを１枚づつ分離して繰り出す繰り出す手段を兼ねるもので、繰り出しローラーと給紙ローラー及び分離ローラーにより構成されている。
【００１２】
２１は金種別収納庫６〜８に対する紙幣Ｐの補充，回収に用いられる一括カセットで、千円券と万円券の紙幣Ｐを一括して収納する収納部２１ａを有し、この収納部２１ａ内には上下動可能なステージ２９が設けられていて、更に収納部２１ａの下部には紙幣補充時のリジェクト紙幣を回収するリジェクト紙幣回収部２１ｂを有している。
【００１３】
この一括カセット２１は筐体１の背面側に配置され、筐体１に対して着脱自在になっている。
２５は一括カセット２１を筐体１内に装着したとき、この一括カセット２１上に位置するように筐体１内に配置された一時保留部である。
２２はこの一括カセット２１の下方に配置されたリジェクトカセットで、平日運用ににおける出金取引時のリジェクト紙幣を収納するリジェクト収納部２２ａと、このリジェクト収納部２２ａ上に位置する顧客の取り忘れ紙幣収納用の取り忘れ紙幣収納部を有している。
【００１４】
このリジェクトカセット２２は、一括カセット２１と同様に筐体１に対して着脱自在に配置され、一括カセット２１とリジェクトカセット２２の着脱は図示しない後部扉を開くことによって行われる。
そして、一括カセット２１とリジェクトカセット２２を抜き取ることにより金種別カセット６〜８も抜き取れるようになっている。
【００１５】
２３は紙幣を挟持して搬送するベルト及びローラから成る搬送路で、この搬送路２３ａにより、前記接客部２，鑑別部４，ローラー機構部１８〜２０，一括カセット２１，一時保留部２５及びリジェクト収納庫２２が結ばれており、その分岐あるいは合流部に紙幣Ｐの搬送方向を切り替えるブレードが配置されている。
２４は制御手段で，この制御手段により装置全体の制御が行われる。
【００１６】
図２は一時保留部２５の側面図である。
この一時保留部２５は、ローラーやベルトにより構成される繰り出し集積手段２６、紙幣を矯正する押圧部材の役割を兼ねる一時保留板２７、この一時保留板２７を図示しないプーリやベルト等を介して上下動させるアップダウン用のモーター２８、及び一時保留板２７の一部を成すスライド部材を前後動させるためのスライド用のモーター３０、アッパーガイド３１を備えており、繰り出し集積手段２６は一時保留部２５の上部前端に配置されていて、一時保留板２７及び一括カセット２１のステージ２９上に紙幣Ｐを集積すると共に、一時保留板２７及びステージ２９上の紙幣Ｐを繰り出すように回転するものとなっている。
【００１７】
また、アッパーガイド３１は繰り出し集積手段２６による紙幣の集積時に紙幣をガイドするものである。
図３は一時保留板２７の分解斜視図である。
この図３に示したように一時保留板２７は、前部側にそれぞれ凹状の切り欠き部３２を設けたアッパープレート３３ｂとロアプレート３４、アッパープレート３３ｂと一体に固定した支持部材３３ａ及びスライド部材３５から成り、アッパープレート３３ｂとロアプレート３４との間にスライド部材３５を摺動可能に挟み込んだものとなっていて、アッパープレート３３ｂの両側に設けたスライドガイド穴にスライド部材３５の両側端を挿入することでスライド部材３５はスライドガイド穴の範囲で前進及び後退できるものとなっている。
【００１８】
図４はスライド部材３５の動作を示す斜視図で、（ａ）は前進時、 (ｂ) は後退時の状態である。
この図に示したようにスライド部材３５の一側には回転運動を直線運動に変換するラック３６が設けられていて、このラック３６はモーター３０に設けられたピニオン３７に噛み合わせてある。
【００１９】
従って、モーター３０を一定方向に回転するとピニオン３７とラック３６によりスライド部材３５が前進して図４（ａ）に示したように切り欠き部３２を塞ぎ、モーター３０を逆方向に回転するとピニオン３７とラック３６によりスライド部材３５が後退してアッパープレート３３ｂとロアプレート３４の間に退避し、これにより図４ (ｂ) に示したように切り欠き部３２を開放するものとなっている。
【００２０】
次に、上述した構成の作用について説明する。
尚、平日における紙幣の入出金処理及び一括カセット２１から金種別カセット６〜８への紙幣の補充処理については、公知の紙幣処理装置と同様に行われるので説明を省略し、ここでは平日における金種別カセット６〜８から一括カセット２１への紙幣の回収と、夜間あるいは休日運用時における出金取引を例にして説明する。
【００２１】
最初に平日における金種別カセット６〜８から一括カセット２１への紙幣の回収について説明すると、金融機関の係員が一括カセット２１への紙幣の回収処理を指示し、この指示を受けて制御手段２４は以下の動作を制御する。
まず、一括カセット２１上の一時保留部２５に設けられた一時保留板２７のスライド部材３５を図４ (ｂ) で説明したようにモーター３０の逆回転によりアッパープレート３３ｂとロアプレート３４の間に退避させ、切り欠き部３２を開放した後、モーター２８により一時保留板２７を上昇させる。
【００２２】
上昇した一時保留板２７はアッパーガイド３１の下面に当接した位置で停止する。
図５はこのときの一時保留部２５の側面図で、この図に示すように一時保留板２７の前部は繰り出し集積手段２６に掛かる位置まで上昇しているが、前記のように一時保留板２７のスライド部材３５を退避させ、切り欠き部３２を開放しているため、一時保留板２７は上昇の際この切り欠き部３２により繰り出し集積手段２６を避けることができ、これにより前記のようにアッパーガイド３１の下面に当接する位置まで上昇することができる。
【００２３】
その後、図示しないモーターにより一括カセット２１のステージ２９が一時保留部２５内まで上昇して集積の準備が整うと、金種別カセット６〜８から紙幣Ｐが順に繰り出される。
繰り出し順は限定されないが、例えば、金種別カセット６から繰り出す場合、一時保留板１５が金種別カセット６上から退避し、図示しないモーターによりステージ１０が繰り出し位置に上昇して、ローラー機構１８により紙幣Ｐが１枚づつ繰り出される。
【００２４】
金種別カセット６内の紙幣Ｐがすべて繰り出されると、次に金種別カセット７から同様に紙幣Ｐが繰り出され、金種別カセット８内の紙幣Ｐがすべて繰り出されることになる。
これらの金種別カセット６〜８から繰り出された紙幣Ｐは搬送路２３により鑑別部４に搬送され、所定の鑑別及び計数が行われ、そして、この鑑別部４で正常券と鑑別された紙幣Ｐは、搬送路２３により一時保留部２５に送られて繰り出し集積手段２６により一括カセット２１のステージ２９上に集積される。
【００２５】
一括カセット２１のステージ２９は紙幣Ｐが集積されるに従って徐々に下降するように制御され、そして、金種別カセット６〜８のすべての紙幣Ｐが集積されるか、あるいは予め定められた枚数分集積されると、モーター２８の回転により一時保留板２７が下降し、ステージ２９上に集積された紙幣Ｐを全体に渡って上から押さえつける。
【００２６】
図６はこのときの状態つまり一時保留板２７によりステージ２９上の紙幣Ｐを押さえつけた状態を示す側面図で、これによりステージ２９上の紙幣Ｐに皺や折れ癖のあるものが混ざっていても、その皺や折れ癖が矯正されるので、その後ステージ２９を所定の位置まで下げ一括カセット２１を筐体１から脱却できる状態にする。
【００２７】
この状態で係員は一括カセット２１を筐体１から引き抜いて紙幣を回収する。
一度で金種別カセット６〜８のすべての紙幣Ｐを回収できない場合、複数回に分けて上述した動作を行い、紙幣Ｐをすべて回収する。
次に、休日あるいは夜間運用時の出金取引について説明する。
この休日あるいは夜間運用時には、リジェクトカセット２２が筐体１から取り外されて運用されるので、金種別カセット７をリジェクトカセットとして利用する。
【００２８】
まず、顧客が自動取引装置の操作表示部に示された出金取引キーを押下し、カードをカード挿入口に挿入して暗証番号を入力した後、取引可能であることが確認されると、顧客に支払希望を入力させ、更に確認キーを押下させる。
この確認キーの押下により紙幣処理装置は、金額の種別に応じて金種別カセット６または８から紙幣Ｐが１枚づつ繰り出される。
【００２９】
例えば、金種別カセット６から繰り出す場合、一時保留板１５が金種別カセット６上から退避し、図示しないモーターによりステージ１０が繰り出し位置に上昇して、ローラー機構１８により紙幣Ｐが１枚づつ繰り出される。
金種別カセット８内の紙幣Ｐの繰り出しについても同様である。
繰り出された紙幣Ｐは搬送路２３により鑑別部４に搬送され、真偽、金種、搬送状態の鑑別が行われる。
【００３０】
そしてこの鑑別部４で出金対象外、あるいは２重送り等の搬送異常と鑑別された紙幣Ｐは、搬送路２３により一括カセット２１上の一時保留部２５に送られて繰り出し集積手段２６により一時保留板２７上に集積される。
図７はこのときの状態を示す側面図で、図示したように一時保留板２７は一時保留部２の下端まで下がっている。
【００３１】
また、このとき一時保留板２７のスライド部材３５は図４に示した予めモーター３０の回転により前進して切り欠き部３２を塞いでおり、従って紙幣Ｐは切り欠き部３２に入り込むことなく一時保留板２７錠に集積される。
一方、前記鑑別部４で正常券と鑑別された紙幣Ｐは搬送路２３により表裏取り揃え機構５に送られて表裏が取り揃えられた後、接客部２に搬送されて集積され、そして顧客が入力した金額分の紙幣が集積されると、シャッター３が開いて顧客に紙幣が支払われる。
【００３２】
また、通帳が挿入されていれば通帳に取引内容が印字されると共に、カードの磁気データが更新されてそれぞれ顧客に返却され、更に取引内容が印字されたレシートが放出される。
次に、一時保留部２の一時保留板２７をモーター２８により上昇させ、一時保留板２７上の紙幣Ｐを繰り出し集積手段２６に押しつけ、この状態で繰り出し集積手段２６を回転させることにより紙幣Ｐが１枚づつ繰り出される。
【００３３】
繰り出された紙幣は搬送路２３により鑑別部４を経由して金種別カセット７に向かって搬送され、ローラー機構１９により金種別カセット７内に収納される。以上説明した第１の実施の形態によれば、夜間や休日運用の際の出金取引において鑑別部で金種対象外や異常搬送と鑑別された紙幣を集積する一括カセット上の一時保留部に設けられる一時保留板を、金種別カセットから紙幣を一括カセットに回収する際に一括カセットのステージに集積した紙幣を押さえつける押圧部材として利用できるので、専用の押圧部材を設けることなく回収紙幣の中の皺や折れ癖のある紙幣を矯正することが可能となり、皺や折れ癖によりステージ上で紙幣が立つことでステージの動作に支障が生じることを防止することができると共に、専用の押圧部材を設ける必要がないので小型化、簡素化、及び軽量化を図ることができる。
【００３４】
次に、第２の実施の形態について説明する。
図８は第２の実施の形態を示す一時保留部２５の側面図、図９はこの第２の実施の形態における一時保留板２７の分解斜視図である。
本実施の形態は、一時保留板の支持部材３３ａとアッパープレート３３ｂを分離し、モーター２８により上下動する支持部材３３ａの両側にリンク３８の一端をそれぞれ回転自在に取り付けると共に、これらのリンク３８の他端に設けた長穴３９にアッパープレート３３ｂの両側に設けたポスト４０を移動可能に嵌め合わせ、更に支持部材３３ａの下端にアッパープレート３３ｂの後端を離脱可能に係合させた構成としたもので、これにより支持部材３３ａに対してアッパープレート３３ｂが上方に自由に移動できるようにしたものである。
【００３５】
尚、この他の構成については第１の実施の形態と同様である。
次に上述した構成の作用について説明する。
ここでは、平日における金種別カセット６〜９から一括カセット２１への紙幣の回収について説明する。
金融機関の係員が一括カセット２１への紙幣の回収処理を指示し、この指示を受けて制御手段２４は以下の動作を制御する。
【００３６】
まず、一括カセット２１上の一時保留部２５に設けられた一時保留板２７のスライド部材３５を図４ (ｂ) で説明したようにモーター３０の逆回転によりアッパープレート３３ｂとロアプレート３４の間に退避させ、切り欠き部３２を開放した後、モーター２８により支持部材３３ａを上昇させる。
この上昇時において一時保留板２７のアッパープレート３３ｂの後端は支持部材３３ａの下端に係合しており、従って支持部材３３ａとアッパープレート３３ｂは一体に上昇しする。
【００３７】
つまり、一時保留板２７全体が上昇する。
上昇した一時保留板２７はアッパーガイド３１の下面に当接した位置で停止するが、その際一時保留板２７は上昇の際この切り欠き部３２により繰り出し集積手段２６を避けることができることは第１の実施の形態と同様である。
その後、第１の実施の形態と同様に、金種別カセット６〜８から紙幣Ｐが順に繰り出され、繰り出された紙幣Ｐは搬送路２３により鑑別部４に搬送される。
【００３８】
そして、この鑑別部４で所定の鑑別及び計数が行われ、これにより正常券と鑑別された紙幣Ｐは、搬送路２３により一時保留部２５に送られて繰り出し集積手段２６により一括カセット２１のステージ２９上に集積される。
一括カセット２１のステージ２９は紙幣Ｐが集積されるに従って徐々に下降するように制御され、そして、金種別カセット６〜８のすべての紙幣Ｐが集積されるか、あるいは予め定められた枚数分集積されると、モーター２８の回転により一時保留板２７が下降する。
【００３９】
この下降の途中で、一時保留板２７のアッパープレート３３ｂは一括カセット２１のステージ２９上に集積された紙幣Ｐに乗り、そして支持部材３３ａはそのまま下降を続けるので、アッパープレート３３ｂの後端は支持部材３３ａから外れ、リンク３８を介して支持された状態を保ってアッパープレート３３ｂはローラプレート３４と共に紙幣Ｐを全体に渡って押さえつける。
【００４０】
つまり、支持部材３３ａとアッパープレート３３ｂ及びローラプレート３４は別々に下降する状態になり、紙幣Ｐを全体に渡って押さえつける。
図１０はこのときの状態つまり一時保留板２７によりステージ２９上の紙幣Ｐを押さえつけた状態を示す側面図で、これによりステージ２９上の紙幣Ｐの皺や折れ癖が矯正されるので、その後ステージ２９を所定の位置まで下げ一括カセット２１を筐体１から抜き取れる状態にする。
【００４１】
このとき一時保留板２７のアッパープレート３３ｂはロアプレート３４と共に自重によりステージ２９の下降に追従し、そして一時保留部２５の下端までアッパープレート３３ｂが下がると、アッパープレート３３ｂの後端は支持部材３３ａの下端に係合して停止する。
この状態で係員は一括カセット２１を筐体１から引き抜いて紙幣を回収する。
【００４２】
一度で金種別カセット６〜８のすべての紙幣Ｐを回収できない場合、複数回に分けて上述した動作を行い、紙幣Ｐをすべて回収する。
休日あるいは夜間運用時の出金取引時の動作については第１の実施の形態と同様に行われる。
以上説明した第２の実施の形態によれば第１の実施の形態と同様の効果が得られる他、アッパープレート３３ｂはロアプレート３４はモーター２８により上下動する支持部材と３３ａとは別に下降できるようにしているため、支持部材と３３ａを一括カセット２１のステージ２９と当速度あるいはそれ以上の速度で下降させること可能となり、より確実に紙幣Ｐを押さえつけて皺や折れ癖を矯正することが可能になる。
【００４３】
【発明の効果】
以上説明したように本発明は、紙幣を収納するカセットの上方に配置された一時保留部の一時保留板を、凹状の切り欠き部を有するプレートと、このプレートを支持する支持部材と、前記切り欠き部の閉塞及び開放を行うように前記プレートに前後動可能に設けられたスライド部材を備えたものとし、前記カセット内のステージ上に紙幣を集積させる際は前記一時保留板を繰り出し集積手段に達する位置に上昇させると共に、前記一時保留板のスライド部材を後退させて前記切り欠き部を開放することにより、切り欠き部で前記繰り出し集積手段を避け、前記ステージ上に紙幣を集積した後、前記一時保留板を下降させて前記ステージ上の紙幣を押さえつけるようにしている。
【００４４】
従って、これによれば、夜間や休日運用の際の出金取引において鑑別部で金種対象外や異常搬送と鑑別された紙幣を集積する一括カセット上の一時保留部に設けられる一時保留板を、金種別カセットから紙幣を一括カセットに回収する際に一括カセットのステージに集積した紙幣を押さえつける押圧部材として利用できるので、専用の押圧部材を設けることなく回収紙幣の中の折れ癖のある紙幣を矯正することが可能となり、折れ癖によりステージ上で紙幣が立つことでステージの動作に支障が生じることを防止することができると共に、専用の押圧部材を設ける必要がないので小型化、簡素化、及び軽量化を図ることができる。
【図面の簡単な説明】
【図１】本発明の第１の実施の形態を示す概略側面図。
【図２】第１の実施の形態における一時保留部の側面図。
【図３】第１の実施の形態における一時保留板の分解斜視図。
【図４】第１の実施の形態におけるスライド部材の動作を示す斜視図。
【図５】第１の実施の形態における一時保留板の上昇状態を示す側面図。
【図６】第１の実施の形態において紙幣を押さえつけた状態を示す側面図。
【図７】第１の実施の形態において一時保留板が下降した状態を示す側面図。
【図８】第２の実施の形態を示す一時保留部の側面図。
【図９】第２の実施の形態における一時保留板の分解斜視図。
【図１０】第２の実施の形態において紙幣を押さえつけた状態を示す側面図。
【符号の説明】
２  接客部
４  鑑別部
６〜８  金種別カセット
１２〜１４  一時保留部
１５〜１７  一時保留板
１８〜２０  ローラー機構
２１  一括カセット
２４  制御手段
２５  一時保留部
２６  繰り出し集積手段
２７  一時保留板
２８  モーター
２９  ステージ
３０  モーター
３２  切り欠き部
３３ａ  支持部材
３３ｂ  アッパープレート
３４  ロアプレート
３５  スライド部材
３８  リンク
３９  長穴
４０  ポスト
【図１】
0004374724.tif 000002
【図２】
0004374724.tif 000003
【図３】
0004374724.tif 000004
【図４】
0004374724.tif 000005
【図５】
0004374724.tif 000006
【図６】
0004374724.tif 000007
【図７】
0004374724.tif 000008
【図８】
0004374724.tif 000009
【図９】
0004374724.tif 000010
【図１０】
0004374724.tif 000011